(57)【要約】【課題】ネットワークに接続される複数のＡＶ機器等に格納されるコンテンツを、ユーザが適宜参照してパケット単位で容易に視聴することができる再生装置を提供する。【解決手段】  ネットワーク上の機器と通信を行う通信部１１と、コンテンツをパケット単位で復号し再生する再生部２２と、ネットワーク上の機器が格納するコンテンツの管理情報（ＶＲ＿ＭＡＮＧＲ．ＩＦＯ）を通信部を制御して取得し、管理情報に基づきコンテンツの内容を表示し、これに応じてユーザからの再生指示を受け、再生指示に応じて通信部を介して機器上のコンテンツをパケット単位に取得し、取得したコンテンツのパケットを再生部で再生するべく制御する制御部４１とを有する再生装置。【選択図】図１
2006155828.tif 000002
【特許請求の範囲】
【請求項１】
ネットワーク上の機器と通信を行う通信部と、
コンテンツをパケット単位で復号し再生する再生部と、
前記ネットワーク上の前記機器が格納するコンテンツの管理情報を前記通信部を制御して取得し、前記管理情報に基づき前記コンテンツの内容を表示し、これに応じてユーザからの再生指示を受け、再生指示に応じて前記通信部を介して前記機器上の前記コンテンツをパケット単位に取得し、取得した前記コンテンツのパケットを前記再生部で再生するべく制御する制御部とを具備することを特徴とする再生装置。
【請求項２】
前記制御部は、前記ユーザからの再生指示が示す範囲を、ユーザが指定した範囲指定変更方法に応じて縮小又は拡大することで、前記コンテンツを構成する複数のパケットの中から取得すべきパケットを決定することを特徴とする請求項１記載の再生装置。
【請求項３】
前記ユーザからの再生指示のための範囲指定が、前記コンテンツの時間情報又は前記コンテンツ容量の時、ユーザが指定した範囲指定変更方法に応じて、前記時間情報の範囲又はコンテンツ容量の範囲を拡張又は縮小することで、前記コンテンツを構成する複数のパケットの中から取得すべきパケットを決定することを特徴とする請求項１記載の再生装置。
【請求項４】
前記制御部は、前記通信部の通信速度が所定速度以上であるとき、前記ユーザからの再生指示が示す範囲に応じて又はこの範囲を拡張して、前記コンテンツを構成する複数のパケットの中から取得すべきパケットを決定することを特徴とする請求項１記載の再生装置。
【請求項５】
前記制御部は、前記ユーザからの再生のための指定範囲を文字列の送信により行い、これに応じて、前記ネットワーク上の機器からこの指定範囲を変更してパケットを特定したことを示す文字列を受信すると、指定範囲の変更があったことを識別することを特徴とする請求項１記載の再生装置。
【請求項６】
前記制御部は、ユーザからの再生指示を受けたら、前記管理情報が示す一つのコンテンツを構成する複数のパケットのうちどのパケットが前記再生指示に対応するかを前記管理情報に基づいて判断し、その結果選ばれたパケットのみを前記通信部を介して、前記ネットワーク機器から取得するべく制御することを特徴とする請求項１記載の再生装置。
【請求項７】
前記制御部が取得するコンテンツの管理情報とは、ＶＲ＿ＭＡＮＧＲ．ＩＦＯファイルであることを特徴とする請求項１記載の再生装置。
【請求項８】
前記制御部は、取得したコンテンツの管理情報に基づいて、前記コンテンツのチャプタタイトルを表示するための画像表示情報を生成して出力するべく制御することを特徴とする請求項１記載の再生装置。
【請求項９】
前記制御部は、取得したコンテンツの管理情報に基づく情報を生成して出力しこれへの応答として、ユーザから前記コンテンツの一部を前記ネットワーク上の機器から取得するべく時間情報により指示されると、この時間情報が前記コンテンツを構成する複数のパケットのどれに該当するかを前記管理情報に基づいて判断し、該当するパケットのみを前記ネットワーク上の機器から取得して再生することを特徴とする請求項１記載の再生装置。
【請求項１０】
前記制御部は、ユーザから指定された時間情報に対して、この時間情報が指定する映像は少なくとも全て取得するべく一又は複数のパケットを前記管理情報から判断して前記ネットワークの機器から取得するべく制御することを特徴とする請求項５記載の再生装置。
【請求項１１】
第２コンテンツとこの管理情報を格納する格納部を更に有し、
前記制御部は、前記ネットワークの機器から前記管理情報の送信を要求されると、これを送信するべく前記通信部を制御する請求項１記載の再生装置。
【請求項１２】
前記格納部が格納している第２コンテンツの管理情報とはＶＲ＿ＭＡＮＧＲ．ＩＦＯファイルであることを特徴とする請求項７記載の再生装置。
【請求項１３】
前記制御部は、前記ネットワーク上の機器から前記第２コンテンツを構成する複数のパケットのうち一部のパケットの送信を要求されれば、これを送信するべく前記通信部を制御することを特徴とする請求項７記載の再生装置。
【請求項１４】
ネットワーク上の機器と通信を行う通信部と、
コンテンツとこの管理情報を格納する格納部と、
前記コンテンツを再生する再生部と、
前記制御部は、前記ネットワークの機器から前記管理情報の送信を要求されると、これを送信するべく前記通信部を制御する制御部とを具備することを特徴とする再生装置。
【請求項１５】
再生装置にネットワークを介して接続されている機器が格納するコンテンツの管理情報を前記機器と通信を行って取得し、前記管理情報に基づき前記コンテンツの内容を表示し、これに応じてユーザからの再生指示を受け、再生指示に応じて前記ネットワークを介して前記機器上の前記コンテンツをパケット単位に取得し、取得した前記コンテンツのパケットを再生することを特徴とする再生方法。
【請求項１６】
ユーザからの再生指示を受けたら、前記管理情報が示す一つのコンテンツを構成する複数のパケットのうちどのパケットが前記再生指示に対応するかを前記管理情報に基づいて判断し、その結果選ばれたパケットのみを前記ネットワーク機器から取得するべく制御することを特徴とする請求項１５記載の再生方法。
【請求項１７】
前記コンテンツの管理情報とは、ＶＲ＿ＭＡＮＧＲ．ＩＦＯファイルであることを特徴とする請求項１５記載の再生方法。
【請求項１８】
前記取得したコンテンツの管理情報に基づいて、前記コンテンツのチャプタタイトルを表示するための画像表示情報を生成して出力するべく制御することを特徴とする請求項１５記載の再生方法。
【請求項１９】
前記取得したコンテンツの管理情報に基づく情報を生成して出力しこれへの応答として、ユーザから前記コンテンツの一部を前記ネットワーク上の機器から取得するべく時間情報により指示されると、この時間情報が前記コンテンツを構成する複数のパケットのどれに該当するかを前記管理情報に基づいて判断し、該当するパケットのみを前記ネットワーク上の機器から取得して再生することを特徴とする請求項１５記載の再生方法。
【請求項２０】
再生装置の記憶領域にコンテンツとこの管理情報を格納し、前記再生装置にネットワークを介して接続されている機器から、前記管理情報の送信を要求されると、これを送信するべく制御することを特徴とする再生方法。
【発明の詳細な説明】
【技術分野】
【０００１】
この発明は、ネットワーク機能をもった再生装置に関し、特に、ネットワーク上のコンテンツの管理情報を参照し適宜コンテンツを取得し再生する再生装置及び再生方法に関する。
【背景技術】
【０００２】
最近、テレビやハードディスクレコーダ等のデジタル家電製品においても、再生の対象となるコンテンツがデジタルデータ化してきたことにより、例えば、家庭内ＬＡＮ等のネットワークの活用が大いに期待されてきている。これは、例えば、インターネットを介して動画サーバサイトから動画情報をユーザの操作に応じて取得して、これをユーザ側の機器で再生する場合である。
【０００３】
特許文献１においては、このとき、代表画像データに基づく開始位置からのコンテンツ情報を動作サーバサイトから取得するものであり、これにより、容易に適切な位置からのコンテンツ情報のダウンロードを実現している。
【特許文献１】特開２００２−７７８７０号公報。
【発明の開示】
【発明が解決しようとする課題】
【０００４】
ここで、特許文献１で示された従来技術においては、インターネットで送受信される比較的短い動画情報を対象としており、代表画像を参照している。しかし、例えば、ユーザが家庭に複数台のレコーダをもっており、例えば、１Ｆのリビングのテレビから２Ｆの寝室にあるハードディスクレコーダに格納されたコンテンツを取得して、リビングのテレビでこれを視聴する等の場合であると、コンテンツ情報は、例えば、ＭＰＥＧ２ＴＳ（Transmission Stream）等の比較的容量の大きいものである。又、映画であれば、チャプタも３０個等の場合があり、再生時間も２時間を越えるような規模のものがあり、全てを転送すると転送時間や負荷も少なくなく、又、開始位置を代表画像で管理するには装置への負担が大きくなるという問題がある。
【０００５】
本発明は、ネットワークに接続される複数のＡＶ機器等に格納されるコンテンツを、ユーザが適宜参照してパケット単位で容易に視聴することができる再生装置及び再生方法を提供することを目的とする。
【課題を解決するための手段】
【０００６】
本発明の一実施形態は、ネットワーク上の機器と通信を行う通信部と、コンテンツをパケット単位で復号し再生する再生部と、前記ネットワーク上の前記機器が格納するコンテンツの管理情報を前記通信部を制御して取得し、前記管理情報に基づき前記コンテンツの内容を表示し、これに応じてユーザからの再生指示を受け、再生指示に応じて前記通信部を介して前記機器上の前記コンテンツをパケット単位に取得し、取得した前記コンテンツのパケットを前記再生部で再生するべく制御する制御部とを具備することを特徴とする再生装置である。
【発明の効果】
【０００７】
本発明の一実施形態である再生装置（例えばデジタルテレビやメインのハードディスクレコーダ）においては、ネットワーク上のハードディスクレコーダ等の機器が保有する例えばＭＰＥＧ２ＴＳ（Transport Stream）等のコンテンツについて、このコンテンツを単にデジタルテレビ等に移動するのではなく、容量の非常に小さいコンテンツの管理情報（ＶＲ＿ＭＡＮＧＲ．ＩＦＯ）だけを取得するものである。これにより、例えば、２Ｆのハードディスクレコーダが保有する５０タイトルのコンテンツ等がどのようなものがあるかを知ることができる。更に、各タイトルの管理情報を取得することで、このコンテンツがどのようなチャプタ等に分割されているかを知ることもできる。
【０００８】
すなわち、１Ｆの通信機能を有するデジタルテレビ等では、このように取得した管理情報を解析することで、２Ｆのレコーダが保有する複数のコンテンツをリストとしてテレビ画面上に表示して参照することができ、更に、各コンテンツがどのようなチャプタで構成されているかを知ることもできる。そこで、ユーザは、これらのコンテンツの中の一つのコンテンツを指定し、その中の特定のチャプタだけを指定したり、時間を指定することができる。ユーザが指定した時間やチャプタに対応した動画音声情報が、どのパケットに対応するかは、管理情報（ＶＲ＿ＭＡＮＧＲ．ＩＦＯ）を参照することで識別することができ、転送すべきパケットが決定すれば、このパケットだけをネットワークを介して、ハードディスクレコーダから取得するものである。
【０００９】
これによりユーザは、非常に容量が小さい管理情報や、特定のパケットだけを転送するだけで、転送量を非常に少なく抑え、しかもネットワークにつながっている全てのコンテンツの各チャプタまで視聴可能な選択対象として、容易に画面上で閲覧し視聴することが可能となるものである。
【００１０】
又、更に、ユーザから与えられた再生位置が時間情報であったり容量情報であった場合は、必ずしも再生すべきＧＯＰを一義的に特定することができず、拡張解釈か縮小解釈かを選択することとなるが、本発明に係る実施形態においては、範囲指定変更方法としてこれをユーザが与えることで、最良の変更方法を適用することで動作信頼性を向上させるものである。
【発明を実施するための最良の形態】
【００１１】
以下、この発明の実施の形態について図面を参照して詳細に説明する。  
本発明の実施形態としてのコンテンツの閲覧機能、視聴機能は、主にネットワーク機能を有する映像機器に適用することができる。ここで、その代表的なネットワーク機能及びコンテンツの記録再生機能をもったデジタルテレビジョン装置１１と、ハードディスクレコーダ等の記録再生装置１１０との例を挙げて以下に図面を用いて詳細に説明するものである。
【００１２】
図１は、本発明の一実施形態に係るコンテンツ伝送方法が用いられるデジタルテレビジョン装置の構成の一例を示すブロック図、図２は、本発明の一実施形態に係るコンテンツ伝送方法が用いられるネットワークの構成の一例を示すネットワーク図、図３は、本発明の一実施形態に係るコンテンツ伝送方法が用いられる記録再生装置の構成の一例を示すブロック図である。
【００１３】
＜本発明の一実施形態に係るデジタルテレビジョン装置＞
初めに、本発明の一実施形態として通信機能をもつデジタルテレビジョン装置に適用する場合を、図１に示すようなデジタルテレビジョン装置１１を例に挙げて、以下に詳細に説明する。図１は、本発明の一実施形態に係るコンテンツ伝送方法が用いられるデジタルテレビジョン装置の構成の一例を示すブロック図である。デジタルテレビジョン装置１１は、例えば液晶表示パネル等でなる平面パネル型の映像表示器１４、スピーカ１５、操作部１６、リモートコントローラ１７から送信される操作情報を受ける受光部１８等が設置されている。又、このデジタルテレビジョン装置１１には、例えばＳＤ（Secure Digital）メモリカード、ＭＭＣ（Multimedia Card）及びメモリスティック等のメモリカード、又、更に、例えば契約情報等の記録されたメモリカード（ＩＣカード）等のメモリカード１９が着脱可能となっている。これらのメモリカード１９に対して番組や写真等の情報の記録再生を行ったり、情報の記録再生が行なわれるようになっている。
【００１４】
又、このデジタルテレビジョン装置１１は、第１のＬＡＮ（Local Area Network）端子２１、第２のＬＡＮ端子２２を備えている。
【００１５】
デジタルテレビジョン装置１１においては、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。そして、このチューナ４５で選局された放送信号は、ＰＳＫ（Phase Shift Keying）復調器４６に供給されて、デジタルの映像信号及び音声信号に復調された後、信号処理部４７に出力される。
【００１６】
又、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００１７】
又、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００１８】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理、例えば、ＭＰＥＧ２のデコード処理を施し、グラフィック処理部５４及び音声処理部５５に出力している。
【００１９】
更に、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、又、両出力をそれぞれ画面の半分を構成するように組み合わせて出力することができる。
【００２０】
そして、グラフィック処理部５４から出力されたデジタルの映像信号は、映像処理部５８に供給される。この映像処理部５８は、入力されたデジタルの映像信号を、上記映像表示器１４で表示可能なフォーマットのアナログ映像信号に変換した後、映像表示器１４に出力して映像表示させるとともに、出力端子５９を介して外部に導出させる。
【００２１】
又、上記音声処理部５５は、入力されたデジタルの音声信号を、上記スピーカ１５で再生可能なフォーマットのアナログ音声信号に変換した後、スピーカ１５に出力して音声再生させるとともに、出力端子６０を介して外部に導出させる。
【００２２】
ここで、このデジタルテレビジョン装置１１は、上記した各種の受信動作を含むその全ての動作を制御部６１によって統括的に制御されている。この制御部６１は、ＣＰＵ（Central Processing Unit）等を内蔵しており、上記操作部１６からの操作情報を受け、又は、リモートコントローラ１７から送出された操作情報を上記受光部１８を介して受信し、その操作内容が反映されるように各部をそれぞれ制御している。
【００２３】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３とを利用している。
【００２４】
又、この制御部６１は、カードＩ／Ｆ（Interface）６５を介して、上記メモリカード１９が装着可能なカードホルダ６６に接続されている。これによって、制御部６１は、カードホルダ６６に装着されたメモリカード１９と、カードＩ／Ｆ６５を介して情報伝送を行なうことができる。更に、上記制御部６１は、図示しないカードＩ／Ｆとカードホルダとを介して、図示しない第２のメモリカードが装着可能に接続されている。これにより、制御部６１は、第２のメモリカードと情報伝送を行なうことができる。
【００２５】
又、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。又、暗号化処理、復号処理のために、信号処理部４７に接続されて暗号復号部８１が設けられている。
【００２６】
更に、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００２７】
更に、各チューナ部４５，５０，５２、各復調器４６，５１，５３、制御部６１、信号処理部４７等が搭載されたデジタルボード１０の構成の一例が、図２に示されている。このデジタルボード１０の構成は一例であって、他の回路を含むものでもよく、又、図面中の各ブロックは、必ずしもデジタルボード１０に設けなくともよく、他の基板上で構成されることも可能である。
【００２８】
更に、制御部６１には、本発明の一実施形態であるファイル送受信処理を行うべく、ファイル送受信管理部が設けられている。ファイル送受信処理は、ネットワーク上のファイル管理情報を利用し、コンテンツファイルを適宜転送する処理であり、図面を用いて詳細に後述される。
【００２９】
（周辺装置とのネットワーク）
上記の構成を有するデジタルテレビジョン装置１１は、図２に示すように、ネットワークを構成し、周囲の機器と接続されている。すなわち、図２において、第１のＬＡＮ端子２１は、例えば、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００３０】
又、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＤＶＤ（Digital Versatile Disk）再生可能のハードディスクレコーダ１１０等の機器に接続し、これらの機器と情報伝送を行なうために使用される。
【００３１】
＜本発明の一実施形態に係る記録再生装置＞
次に、本発明の一実施形態として記録再生装置に適用する場合を、図３に示すようなハードディスクレコーダ等の記録再生装置１１０を例に挙げて、以下に詳細に説明する。この実施形態では、記録再生装置１１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。又、セットトップボックスのように、記録部を有しないチューナユニットの場合も可能である。図３の各ブロックを大きく分けると、左側には記録部の主なブロックを示し，右側には再生部の主なブロックを示している。
【００３２】
図３の記録再生装置１１０は、２種類のディスクドライブ部を有する。まず、ビデオファイルを構築できる情報記録媒体である第１のメディアとしての光ディスクＤを回転駆動し、情報の読み書きを実行する光ディスクドライブ部１１９を有する。又、第２のメディアとしてのハードディスクを駆動するハードディスクドライブ部１１８を有する。制御部１３０は、全体の動作を司るべくデータバスを介して各部に接続されている。
【００３３】
又、図３の記録再生装置１１０は、録画側を構成するエンコーダ部１２１と、再生側を構成するデコーダ部１２２と、装置本体の動作を制御する制御部１３０とを主たる構成要素としている。記録再生装置１１０は、入力側のセレクタ１１６と出力側のセレクタ１１７とを有しており、入力側のセレクタ１１６には、ネットワークＩ／Ｆ部１１１と、チューナ部１１２と、入力部１１３とが接続され、エンコーダ部１２１に信号を出力する。又、記録再生装置１１０は、エンコーダ部１２１に接続されるフォーマッタ部１２３と、エンコーダ部１２１の出力を受け、例えば音声ライブラリの検出処理と連動して、データ編集等の所望のデータ処理を行うデータ編集部１２０、データ編集部１２０に接続されるハードディスクドライブ部１１８、光ディスクドライブ部１１９を有している。更に、記録再生装置１１０は、ハードディスクドライブ部１１８、光ディスクドライブ部１１９からの信号を受けてデコードするデコーダ部２２と、エンコーダ部１２１、デコーダ部１２２、制御部１３０、表示部１３３からの操作信号を受けるビデオミキシング部１２４とを有している。これらの各部は、データバスを介して制御部１３０に接続されている。更に、セレクタ部１１７の出力は、外部のスピーカ部１２５と、ディスプレイ部１２６とに接続されるか、外部装置との通信を行うインタフェース部１２７を介して、外部装置に供給される。
【００３４】
更に、記録再生装置１１０は、データバスを介して制御部１３０に接続され、ユーザの操作やリモコンＲの操作を受ける操作部１３２を有している。ここで、リモコンは、記録再生装置１１０の本体に設けられる操作部１３２とほぼ同等の操作を可能とするものであり、ハードディスクドライブ部１１８や光ディスクドライバ部１１９の記録再生指示や、編集指示、又、チューナの操作、予約録画の設定等、各種設定が可能である。又、更に、ライブラリ情報及びネットワーク上の機器のライブラリ情報等を管理するデータベース部１４２と、ハードディスクドライブ部１１８や光ディスクドライブ部１１９を用いて、データベース部１４２と連動して又は連動することなく予約録画を実行する予約録画管理部１４３とを有している。又、記録再生装置１１０は、本発明の一実施形態であるネットワークを介したファイル転送処理を管理するファイル送受信管理部１４１を有しており、ファイル転送処理は、図面を用いて詳細に後述される。
【００３５】
（基本動作）
このような構成の記録再生装置において、光ディスクに例を取って、再生処理と記録処理の概要を説明すると、制御部１３０の制御下において、所定速度に回転される光ディスクＤは、レーザ光が照射されその反射光が光ピックアップにより検出され、これに基づく検出信号Ｓが出力される。この検出信号Ｓに基づいて、ＲＦ信号が生成され、再生処理が行われる。
【００３６】
又、光ディスクの記録処理は、制御部１３０の制御下において、例えば入力部１３、セレクタ部１１６を介して供給されたデータは一時的に音声ライブラリ管理部４２の記憶領域に蓄えられた後にエンコーダ部１２１に供給され、コード化されて出力される。このコード化出力と制御部１３０の出力に応じて、レーザドライバ１６５の駆動電流が光ピックアップ１５１に供給され、光ディスクＤの記憶領域に照射することで、記録処理が行われるものである。
【００３７】
＜本発明の一実施形態に係るファイル送受信処理＞
次に、上述したデジタルテレビジョン装置及び記録再生装置の間でのファイル送受信処理を以下に詳細に説明する。本発明の一実施形態に係るファイル送受信処理につき、例えばデジタルテレビジョン装置側と記録再生装置側との間でコンテンツの送受信をする場合を説明する。図４乃至図６は、本発明の一実施形態に係るコンテンツ伝送方法の一例を示すフローチャートであり、図７及び図８は、本発明の一実施形態に係るコンテンツ伝送方法のコンテンツパケットの指定工程とコンテンツパケットの送信工程を示す説明図、図９は、本発明の一実施形態に係るコンテンツ伝送方法の対象であるコンテンツ情報のデータ構成の一例を示す説明図、図１０は、本発明の一実施形態に係るコンテンツ伝送方法の対象であるコンテンツ情報のデータ構成の一例を示す説明図、図１１は、本発明の一実施形態に係るコンテンツ伝送方法が用いられる記録再生装置により表示したタイトル画面の一例を示す説明図である。
【００３８】
本発明の一実施形態である再生装置（例えばデジタルテレビやメインのハードディスクレコーダ）においては、ネットワーク上のハードディスクレコーダ等の機器が保有する例えばＭＰＥＧ２ＴＳ（Transport Stream）等のコンテンツについて、このコンテンツを単にデジタルテレビ等に移動するのではなく、容量の非常に小さいコンテンツの管理情報（ＶＲ＿ＭＡＮＧＲ．ＩＦＯ）だけを取得するものである。以下、その動作について、図８のフローチャートを用いて詳細に説明する。
【００３９】
ここでは、デジタルテレビジョン装置１１のファイル送受信管理部６４の働きで、ネットワーク上のハードディスクレコーダ１１０のファイル送受信管理部１４１の働きと連携して、コンテンツファイルの管理情報（ＶＲ＿ＭＡＮＧＲ．ＩＦＯ）をハードディスクレコーダ１１０等から収集して、必要なパケットを送受信する動作を説明する。
【００４０】
（パケット送受信処理：転送先でＧＯＰ決定）
初めに、デジタルテレビジョン装置１１において、制御部６１及びファイル送受信管理部６４の動作において、通信Ｉ／Ｆ７０を介して、ネットワーク上のハードディスクレコーダ１１０とアクセスし、認証処理を行い（Ｓ１１）、同時に、ハードディスクレコーダ１１０においても認証処理が行われる（Ｓ２１）。この認証処理が成功すると、デジタルテレビジョン装置１１において、ファイル送受信管理部６４の動作により、ＵＰｎＰのブラウズコマンドに応じてコンテンツファイルのプロパティすなわち管理情報を要求する（Ｓ１２）。
【００４１】
この管理情報は、例えば、ＭＰＥＧ２−ＴＳ（Transmission Stream）においては、図９に示すＶＲ＿ＭＡＮＧＲ．ＩＦＯ２０３となる。ここで、図９及び図１０は、本発明の一実施形態に係るコンテンツ伝送方法の対象であるコンテンツ情報（ＭＰＥＧ２−ＴＳ）のデータ構成の一例を示す説明図である。ここで、ＭＰＥＧ２−ＴＳのＲｏｏｔ２０１は、ＤＶＤ＿ＲＴＡＶ２０２の下に、この度の管理情報であるＶＲ＿ＭＡＮＧＲ．ＩＦＯ２０３、ＶＲ＿ＭＯＶＩＥ．ＶＲＯ２０４、ＶＲ＿ＳＴＩＬＬ．ＶＲＯ２０５、ＶＲ＿ＡＵＤＩＯ．ＶＲＯ２０６、ＶＲ＿ＭＡＮＧＲ．ＢＵＰ２０７、File for other Real-Time Recording format２０８を有している。
【００４２】
又、更に、ＶＲ＿ＭＡＮＧＲ．ＩＦＯ２０３は、その機能の一部として、ＧＯＰ（Group Of Packet）番号と再生時間ｔと容量との関係情報を有している。これを用いることで、例えば、ユーザにより再生時間を指定されても、そのために必要なパケットがどれであるかを判断することができる。又、更に、ＶＲ＿ＭＡＮＧＲ．ＩＦＯ２０３は、図９に示すようにそのファイルがどのようなチャプタ構成をもっているかの情報も有している。
【００４３】
ここで、ハードディスクレコーダ１１０のハードディスクドライバ部１１８等においては、ファイル送受信管理部１４１等の管理により、格納されているＭＰＥＧ２ＴＳ等のコンテンツファイルの管理情報であるＶＲ＿ＭＡＮＧＲ．ＩＦＯ２０３等が、ネットワークＩ／Ｆ部１１１を介して、デジタルテレビジョン装置１１に転送される（Ｓ２２）。
【００４４】
デジタルテレビジョン装置１１においては、この管理情報であるＶＲ＿ＭＡＮＧＲ．ＩＦＯ２０３等を受け、これを例えば、ＲＡＭ６３等に一時格納し、ＩＦＯ２０３が示す内容に応じて、例えば、チャプタの内容を図１１のように表示する（Ｓ１３）。この表示は、映像表示器１４にそのまま表示したり、ユーザの操作に応じて、例えば、ネットワーク上のコンテンツのタイトルのみを表示し、ユーザのタイトルの選択があれば、この選択指示に応じて、図１１のように『東京ストーリー』のチャプタを表示する等の表示の仕方が好適であるが、これに限定されるものではない。
【００４５】
そして、この画面を閲覧したユーザの操作により、再生すべき映像の再生時間、再生時刻等が指定されると、この時間情報が通信Ｉ／Ｆ７０を介して、ハードディスクレコーダ１１０に送信される（Ｓ１４）。
【００４６】
このとき、指示の仕方は、開始時刻、終了時刻を指定する場合もあるし、再生したいチャプタが指定されることもある。又、その他の指示の仕方も可能である。ここでは、開始時刻、終了時刻が指定された場合について述べるが、開始時刻、終了時刻が与えられたハードディスクレコーダ１１０においては、ファイル送受信管理部１４１は、これらの開始時刻、終了時刻に応じたＧＯＰを、ＶＲ＿ＭＡＮＧＲ．ＩＦＯ２０３が有する図１０に示す対応情報に基づいて判断する（Ｓ２３）。例えば、ＧＯＰ４７乃至ＧＯＰ５２の再生を決定し、決定したＧＯＰの映像音声情報だけを、ネットワークＩ／Ｆ部１１１を介してデジタルテレビジョン装置１１に転送するものである（Ｓ２４）。
【００４７】
デジタルテレビジョン装置１１においては、ハードディスクレコーダ１１０から送られてきたＧＯＰ４７乃至ＧＯＰ５２を通信Ｉ／Ｆ部７０を介して受信し、信号処理部４７においてデコードして再生するものである（Ｓ１６）。これにより、従来のようにコンテンツファイルのひとかたまりをその都度、全部転送するわけではないので、転送量が非常に少なくてすむ。これにより、ユーザにおいても、デジタルテレビジョン装置１１において、ネットワーク上のコンテンツの全てをチャプタ単位で管理することができ、希望に応じて、指定時間に応じて又はチャプタ単位において直ちにコンテンツの再生を行うことが可能となる。又、ここでは、デジタルテレビジョン装置１１からネットワーク上のハードディスクレコーダ１１０のコンテンツを再生する場合を説明したが、逆にハードディスクレコーダ１１０からデジタルテレビジョン装置１１の記憶領域のファイルを参照し取得することも可能であり、又、他のネットワーク上の機器からのファイル転送も同様に可能となる。
【００４８】
（範囲指定変更方法を伴うＧＯＰ決定：転送先でＧＯＰ決定）
なお、ステップＳ２３において、ハードディスクレコーダ１１０では、ユーザからの再生指示において、チャプタ指定による指示、時間的指示や容量による指示があるが、この際に範囲指定変更方法を伴って指示することが好適である。ここで、範囲指定変更方法とは、図７に示したパケットのタイミングチャートにおいて、ユーザから指定された開始時刻Ａと終了時刻Ｂ（容量指定も同様）が、必ずしもパケットの開始位置と終了位置とに一致するわけではないので、ここで、拡張解釈又は縮小解釈を行って、最終的な再生すべきパケットを決定する必要がある。範囲指定変更方法とは、ユーザ指示を拡張解釈をすべきか縮小解釈をすべきかをユーザが指定するものである。
【００４９】
すなわち、図６のフローチャートにおいて、ハードディスクレコーダ１１０では、ユーザの再生位置の指定が『チャプタ』の指定であるときは、指定されたチャプタに応じて、ＧＯＰを管理情報（ＩＦＯ）を参照して決定する（Ｓ４９）。又、ユーザの指定が『時間情報又は容量情報』による指定である場合は、ユーザから範囲指定変更方法の指定があるかどうかを判断する（Ｓ４２）。ここで、範囲指定変更方法は、ユーザからの再生位置の指定と共にデジタルテレビジョン装置１１から送られてきてもよいし、独立して指示されてもかまわない。ユーザからの範囲指定変更方法が指定されていれば、その範囲指定変更方法が拡張解釈であるかどうかを確認し（Ｓ４６）、拡張であればユーザからの指定を拡張して解釈してＧＯＰを決定する（Ｓ４７）。図７のタイミングチャートで示せば、時刻Ａ，Ｂは、拡張解釈されて時刻Ａｅ，Ｂｅとなり、パケット１乃至パケット４が再生パケットとして決定されることとなる。
【００５０】
同様に、範囲指定変更方法が縮小解釈を指定していれば（Ｓ４６）、ユーザからの指定を縮小解釈してＧＯＰを決定する（Ｓ４８）。図７のタイミングチャートＣ１で示せば、時刻Ａ，Ｂは、縮小解釈されて時刻Ａｓ，Ｂｓとなり、パケット２乃至パケット３が再生パケットとして決定されることとなる。
【００５１】
又、更に、ユーザからの範囲指定変更方法が無い場合に、予めユーザにより又は出荷段階で設定してある仕様として、ハードディスクレコーダ１１０のネットワークＩ／Ｆ部１１１の通信速度が所定値以上であるかどうかにより、拡張解釈をするかどうかを判断する自動判断を設けることが好適である（Ｓ４３）。これは、早い通信速度が確保できた場合、転送パケットが多くなることも負担とならないことを考慮した判断である。ここで、通信速度自動判断が設定されていれば、速度に応じて拡張解釈、縮小解釈が決定され、ステップＳ４６移行の同等の処理がなされるものである。
【００５２】
更に、これらユーザの指示や通信速度による自動判断がなされない場合でも、初期設定値として、拡張解釈又は縮小解釈が設定されていればこれに従って判断処理を行うものである（Ｓ４５）。一般には、初期設定として拡張解釈しておくほうが、時間指定等を行った場合、開始時の画面や終了時の画面が省略されてしまわないので好適であるが、処理能力に余裕が無い場合は縮小解釈も選択枝として有効となる。
【００５３】
なお、図７及び図８においては、ユーザからの再生位置の範囲指定の方法として、文字列による指定方法の例が示されており、図７において、ユーザが“Ｒａｎｇｅ：ｂｙｔｅｓ＝Ａ−Ｂ”と指定すると（Ｓ５１）、これに対して、ハードディスクレコーダ１１０では、Ｍｏｄｉｆｉｅｄ−Ｃｏｎｔｅｎｔ−Ｒａｎｇｅ：ｂｙｔｅＡｅ−Ｂｅ／ｌｅｎｇｔｈ、Ｏｒｉｇｉｎａｌ−Ｃｏｎｔｅｎｔ−Ｒａｎｇｅ：ｂｙｔｅｓ  Ａ−Ｂ／ｌｅｎｇｔｈ“として宣言文を送ってから（Ｓ５２）、実際のパケットをデジタルテレビジョン装置１１に転送するものである（Ｓ５３）。こうすることにより、範囲指定変更方法により一部範囲が変更となったパケットが送られてきたことを、デジタルテレビジョン装置１１側も識別することが可能となるため、誤動作を生じることがなくなり、動作信頼性を向上させることができる。
【００５４】
同様に、図８においては、ヘッダが更に加わるため、図８において、ユーザが“Ｒａｎｇｅ。ｆｏｏ．ｂａｒ：ｂｙｔｅｓ＝Ａ−Ｂ”と指定すると（Ｓ６１）、これに対して、ハードディスクレコーダ１１０では、Ｍｏｄｉｆｉｅｄ−Ｃｏｎｔｅｎｔ−Ｒａｎｇｅ．ｆｏｏ．ｂａｒ：ｂｙｔｅＡｅ−Ｂｅ／ｌｅｎｇｔｈ、Ｏｒｉｇｉｎａｌ−Ｃｏｎｔｅｎｔ−Ｒａｎｇｅ．ｆｏｏ．ｂａｒ：ｂｙｔｅｓ  Ａ−Ｂ／ｌｅｎｇｔｈ、Ｍｏｄｉｆｉｅｄ−Ｃｏｎｔｅｎｔ−Ｒａｎｇｅ−Ｉｎ−Ｐａｙｌｏａｄ．ｆｏｏ．ｂａｒ：ｂｙｔｅｓＡｎ−Ｂｎ／ｐａｙｌｏａｒｄ−ｌｅｎｇｔｈ、Ｏｒｉｇｉｎａｌ−Ｃｏｎｔｅｎｔ−Ｒａｎｇｅ．−Ｉｎ−Ｐａｙｌｏａｒｄ．ｆｏｏ．ｂａｒ：ｂｙｔｅｓ  Ａｏ−Ｂｏ／ｐａｙｌｏａｄ−ｌｅｎｇｔｈ“として宣言文を送ってから（Ｓ６２）、実際のパケットをデジタルテレビジョン装置１１に転送するものである（Ｓ６３）。同様に、これにより、範囲指定変更方法により一部範囲が変更となったパケットが送られてきたことを、デジタルテレビジョン装置１１側が確実に認識できるため、動作信頼性を向上させることができる。
【００５５】
（パケット送受信処理：操作元でＧＯＰ決定）
次に、図５及び図６のフローチャート及び図７及び図８の説明図を用いて、操作元であるデジタルテレビジョン装置において、ＧＯＰを決定する場合について説明する。
【００５６】
初めに、デジタルテレビジョン装置１１において、制御部６１及びファイル送受信管理部６４の動作において、通信Ｉ／Ｆ７０を介して、ネットワーク上のハードディスクレコーダ１１０とアクセスし、認証処理を行い（Ｓ１１）、同時に、ハードディスクレコーダ１１０においても認証処理が行われる（Ｓ２１）。この認証処理が成功すると、デジタルテレビジョン装置１１において、ファイル送受信管理部６４の動作により、ＵＰｎＰのブラウズコマンドに応じてコンテンツファイルのプロパティすなわち管理情報を要求する（Ｓ１２）。
【００５７】
この管理情報は、例えば、ＭＰＥＧ２−ＴＳ（Transmission Stream）においては、図９に示すＶＲ＿ＭＡＮＧＲ．ＩＦＯ２０３となる。ここで、ハードディスクレコーダ１１０のハードディスクドライバ部１１８等においては、ファイル送受信管理部１４１等の管理により、格納されているＭＰＥＧ２ＴＳ等のコンテンツファイルの管理情報であるＶＲ＿ＭＡＮＧＲ．ＩＦＯ２０３等が、ネットワークＩ／Ｆ部１１１を介して、デジタルテレビジョン装置１１に転送される（Ｓ２２）。
【００５８】
デジタルテレビジョン装置１１においては、この管理情報であるＶＲ＿ＭＡＮＧＲ．ＩＦＯ２０３等を受け、これを例えば、ＲＡＭ６３等に一時格納し、ＩＦＯ２０３が示す内容に応じて、例えば、チャプタの内容を図１１のように表示する（Ｓ１３）。この表示は、映像表示器１４にチャプタ内容をそのまま表示したり、ユーザの操作に応じて、例えば、ネットワーク上のコンテンツのタイトルのみを表示し、ユーザのタイトルの選択があれば、この選択指示に応じて、図１１のように『東京ストーリー』のチャプタを表示する等の表示の仕方が好適である。
【００５９】
ここで、画面を閲覧したユーザの操作により、再生すべき映像の再生時間、再生時刻等が指定されると、そのままハードディスクレコーダ１１０にこの情報を転送するのではなく、ファイル送受信管理部６４の働きにおいて、指定された開始時刻、終了時刻に応じて、ＧＯＰを、ＶＲ＿ＭＡＮＧＲ．ＩＦＯ２０３が有する図１０に示す対応情報に基づいて判断する。又は、指定されたチャプタに応じたＧＯＰをＶＲ＿ＭＡＮＧＲ．ＩＦＯ２０３の情報に応じて決定する（Ｓ３１）。そして、決定したＧＯＰの転送をハードディスクレコーダ１１０に要求する（Ｓ３３）。ハードディスクレコーダ１１０においては、要求されたＧＯＰのみの映像音声情報だけを、ネットワークＩ／Ｆ部１１１を介してデジタルテレビジョン装置１１に転送するものである（Ｓ３３）。
【００６０】
なお、ステップＳ３１において自身の機器でＧＯＰを決定する場合も、図６のフローチャートで示したように、ユーザから与えられた範囲指定変更方法又は速度による範囲指定変更方法又は初期設定としての範囲指定変更方法を適用するものである。ステップＳ３１におけるＧＯＰの決定の際の範囲指定変更方法も、ステップＳ２３のＧＯＰ決定と同等であるので詳細な説明は省略する。
【００６１】
デジタルテレビジョン装置１１においては、ハードディスクレコーダ１１０から送られてきたＧＯＰを通信Ｉ／Ｆ部７０を介して受信し、信号処理部４７においてデコードして再生するものである（Ｓ３４）。
【００６２】
以上のような方法により、ユーザは、例えば、図２に示したようなネットワークシステムにおいて、例えば、２Ｆのハードディスクレコーダが保有する５０タイトルのコンテンツ等がどのようなものがあるかを知ることができる。更に、各タイトルの管理情報を取得することで、このコンテンツがどのようなチャプタ等に分割されているかを知ることもできる。すなわち、１Ｆの通信機能を有するデジタルテレビ等では、このように取得した管理情報を解析することで、２Ｆのレコーダが保有する複数のコンテンツをリストとしてテレビ画面上に表示して参照することができ、更に、各コンテンツがどのようなチャプタで構成されているかを知ることもできる。そこで、ユーザは、これらのコンテンツの中の一つのコンテンツを指定し、その中の特定のチャプタだけを指定したり、時間を指定することができる。ユーザが指定した時間やチャプタに対応した動画音声情報が、どのパケットに対応するかは、管理情報（ＶＲ＿ＭＡＮＧＲ．ＩＦＯ）を参照することで識別することができ、転送すべきパケットが決定すれば、このパケットだけをネットワークを介して、ハードディスクレコーダから取得するものである。
【００６３】
これによりユーザは、非常に容量が小さい管理情報や、特定のパケットだけを転送するだけで、転送量を非常に少なく抑え、しかもネットワークにつながっている全てのコンテンツの各チャプタまで視聴可能な選択対象として、容易に画面上で閲覧し視聴することが可能となるものである。
【００６４】
又、上記した実施形態では、コンテンツファイルはＭＰＥＧ２ＴＳについて説明視したが、本発明はこのファイル形式に限定されるものではなく、ＭＰＥＧ２のその他の形式や、ＭＰＥＧ４等の他のＭＰＥＧ形式、又は、ＭＰＥＧに限らず、他の映像音声ファイル形式にも同等に対応することができる。
【００６５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６６】
【図１】本発明の一実施形態に係るコンテンツ伝送方法が用いられるデジタルテレビジョン装置の構成の一例を示すブロック図。
【図２】本発明の一実施形態に係るコンテンツ伝送方法が用いられるネットワークの構成の一例を示すネットワーク図。
【図３】本発明の一実施形態に係るコンテンツ伝送方法が用いられる記録再生装置の構成の一例を示すブロック図。
【図４】本発明の一実施形態に係るコンテンツ伝送方法の一例を示すフローチャート。
【図５】本発明の一実施形態に係るコンテンツ伝送方法の他の一例を示すフローチャート。
【図６】本発明の一実施形態に係るコンテンツ伝送方法のＧＯＰ決定の工程の一例を示すフローチャート。
【図７】本発明の一実施形態に係るコンテンツ伝送方法のコンテンツパケットの指定工程とコンテンツパケットの送信工程を示す説明図。
【図８】本発明の一実施形態に係るコンテンツ伝送方法のコンテンツパケットの指定工程とコンテンツパケットの他の送信工程を示す説明図。
【図９】本発明の一実施形態に係るコンテンツ伝送方法の対象であるコンテンツ情報のデータ構成の一例を示す説明図。
【図１０】本発明の一実施形態に係るコンテンツ伝送方法の対象であるコンテンツ情報のデータ構成の一例を示す説明図。
【図１１】本発明の一実施形態に係るコンテンツ伝送方法が用いられる記録再生装置により表示したタイトル画面の一例を示す説明図。
【符号の説明】
【００６７】
１１…ネットワークＩ／Ｆ部、１２…チューナ部、１３…入力部、１８…ハードディスクドライブ部、１９…光ディスクドライブ部、２０…データ編集部、２１…エンコーダ部、２２…デコーダ部、２３…フォーマッタ部、２４…ビデオミキシング部、２６…ディスプレイ、２７…Ｉ／Ｆ部、３０…制御部、３２…操作部、３３…表示部、Ｒ…リモコン、４１…ファイル送信管理部、４２…データベース部、４３…予約録画管理部。
【図１】
2006155828.tif 000003
【図２】
2006155828.tif 000004
【図３】
2006155828.tif 000005
【図４】
2006155828.tif 000006
【図５】
2006155828.tif 000007
【図６】
2006155828.tif 000008
【図７】
2006155828.tif 000009
【図８】
2006155828.tif 000010
【図９】
2006155828.tif 000011
【図１０】
2006155828.tif 000012
【図１１】
2006155828.tif 000013